(57)【要約】【課題】  携帯電話機本体を装着する卓上ホルダに設置された音楽用スピーカを通して音楽を聴くことができ、なおかつ卓上ホルダの構成を簡単にする。【解決手段】  携帯電話機本体１００と、この携帯電話機本体を装着したとき携帯電話機本体と電気的に接続される端子２０２ａ〜２０２ｆを有する卓上ホルダ２００とからなる携帯電話システムにおいて、上記携帯電話機本体は、通話機能のほか、音楽データを格納した記録媒体１１２と、上記音楽データを再生し増幅する再生手段１１３および増幅手段１１４、１１５と、携帯電話機本体を駆動する電池の充電手段１０９とを備え、一方上記卓上ホルダ２００は、上記増幅手段１１５により駆動される音楽用スピーカ２０１ａ、２０１ｂと、ＡＣアダプタ３００を上記充電手段に接続する端子２０２ｅ、２０２ｆとを備えた。【選択図】図１
2005191651.tif 000002
【特許請求の範囲】
【請求項１】
携帯電話機本体と、この携帯電話機本体を装着したとき携帯電話機本体と電気的に接続される端子を有する卓上ホルダとからなる携帯電話システムにおいて、上記携帯電話機本体は、通話機能のほか、音楽データを格納した記録媒体と、上記音楽データを再生し増幅する再生手段および増幅手段と、上記携帯電話機本体を駆動する電池の充電手段とを備え、一方上記卓上ホルダは、上記増幅手段により駆動される音楽用スピーカと、ＡＣアダプタを上記充電手段に接続する端子とを備えていることを特徴とする携帯電話システム。
【請求項２】
上記携帯電話機本体は、この携帯電話機本体が卓上ホルダに装着されているか否かを検出する装着検出手段を備えていることを特徴とする請求項１に記載の携帯電話システム。
【請求項３】
上記携帯電話機本体は、上記増幅手段により駆動されるイヤホンのジャックを備えていることを特徴とする請求項１または請求項２に記載の携帯電話システム。
【請求項４】
上記携帯電話機本体は、上記増幅手段により駆動される音楽用スピーカを備えていることを特徴とする請求項１〜請求項３のいずれか一項に記載の携帯電話システム。
【請求項５】
上記増幅手段は、携帯電話機本体に内蔵された音楽用スピーカまたはイヤホンジャックに接続されたアンプと卓上ホルダに内蔵された音楽用スピーカに接続されるアンプとに分けられていることを特徴とする請求項１〜請求項４のいずれか一項に記載の携帯電話システム。
【請求項６】
上記携帯電話機本体は、ＡＣアダプタを、上記卓上ホルダを介さずに、上記充電手段に接続するコネクタを備えていることを特徴とする請求項１〜請求項５のいずれか一項に記載の携帯電話システム。
【発明の詳細な説明】
【技術分野】
【０００１】
この発明は、携帯電話の記録媒体に格納している音楽データを再生して音声出力するときに、携帯電話機用卓上ホルダに実装しているスピーカを使用してステレオ音楽を長時間楽しむことができる携帯電話システムに関するものである。
【背景技術】
【０００２】
近年、携帯電話機の通信事業者により配信された音楽や、音楽ＣＤなどの音楽データを携帯電話機に内蔵または外付けの記録媒体に録音し、その記録媒体から音声を再生する機能を備えた携帯電話機が提供されている。このような携帯電話機は、記録媒体に録音された音楽データを再生する場合、携帯電話機本体に内蔵のスピーカや、携帯電話機のヘッドホンジャックに接続したステレオヘッドホンや、携帯電話機の卓上ホルダに内蔵したスピーカを使用して音楽を楽しむ。従来の携帯電話機の卓上ホルダは、携帯電話機の二次電池を充電する回路部品と、携帯電話機から受けた音声信号を増幅するアンプと、増幅した音声信号を出力するスピーカで構成された、充電機能を有するアクティブスピーカシステムであり、このような先行技術は特許文献１に開示されている。
【０００３】
【特許文献１】特開２００２−１０１１７７号公報（第１−２頁、および図５）
【発明の開示】
【発明が解決しようとする課題】
【０００４】
従来の携帯電話機の卓上ホルダは以上のように構成されているので、携帯電話機にステレオヘッドホンを接続して音楽を楽しむ場合や、携帯電話機に内蔵しているスピーカを利用して音楽を楽しむ場合に使用する携帯電話機内蔵のアンプと、卓上ホルダに携帯電話機を装着して音楽を楽しむ場合に使用する卓上ホルダ内蔵のアンプが共に必要となるため、卓上ホルダは回路部品の増加によりコストアップが発生する。また、卓上ホルダには携帯電話機の二次電池を充電する回路が実装されていたため、外出先で携帯電話機の二次電池を充電する際には必ず卓上ホルダが必要となり、アンプ内蔵で、重量、形態も大きい卓上ホルダを外出先まで持ち出さなければならいという煩わしさがあった。
【０００５】
この発明は上記のような問題点を解消するためになされたもので、卓上ホルダに実装されていたアンプおよび充電回路を省略してコスト低減を図るとともに、卓上ホルダに携帯電話機を装着したことを認識して卓上ホルダのスピーカから例えばステレオ音楽を長時間楽しむことができる携帯電話システムを提供することを目的とする。
【課題を解決するための手段】
【０００６】
この発明に係る携帯電話システムは、携帯電話機本体と、この携帯電話機本体を装着したとき携帯電話機本体と電気的に接続される端子を有する卓上ホルダとからなる携帯電話システムにおいて、上記携帯電話機本体は、通話機能のほか、携帯電話機本体内の記録媒体に格納されている音楽データを再生し増幅する再生手段および増幅手段と、携帯電話機本体を駆動する電池の充電手段とを備え、一方上記卓上ホルダは、上記増幅手段により駆動される音楽用スピーカと、ＡＣアダプタを上記充電手段に接続する端子とを備えていることを特徴とするものである。
【発明の効果】
【０００７】
この発明によれば卓上ホルダに携帯電話機が装着されたことを認識して卓上ホルダに内蔵しているスピーカから音楽を楽しむ場合と、携帯電話機本体単体で音楽を楽しむ場合のそれぞれの利用形態が実現でき、音楽信号を増幅するアンプは携帯電話機に内蔵しているものを使用するため、卓上ホルダ内の回路部品は削減でき安価にできる。また、携帯電話機の二次電池を充電する回路は卓上ホルダに実装していないため、卓上ホルダを軽量、安価に構成でき、卓上ホルダの携帯も楽になる。
【発明を実施するための最良の形態】
【０００８】
実施の形態１．
以下、この発明の実施の形態を図について説明する。図１は本発明の実施形態１である携帯電話機本体１００と卓上ホルダ２００とＡＣアダプタ３００のブロック図である。先ず、携帯電話機本体１００について説明する。携帯電話機本体１００は、表示部１０１、操作部１０２、主制御部１０３、電話部１０４、無線部１０５、アンテナ１０６、通話用マイク１０７、通話用スピーカ１０８からなる通話機能を司る要素のほか、充電部１０９、二次電池１１０、電源供給部１１１、記録媒体１１２、録音再生部１１３、スピーカ／ヘッドホン切換えアンプ１１４、ステレオ用アンプ１１５、イヤホンジャック１１６、音楽用スピーカ１１７、装着検出部１１８、インバータ１１９、端子１２０ａ〜１２０ｆ、コネクタ１２１を備えている。
【０００９】
操作部１０２は、利用者が携帯電話機本体に各種の指令を入力する。表示部１０１は、各種の情報を表示する。主制御部１０３は、操作部１０２から指令を受けた入力信号に応じて携帯電話機本体１００の各部の動作を制御する。通話用マイク１０７は、外部から入力された音声を電気信号に変換する。電話部１０４は、通話用マイク１０７で得た音声信号を所定の方式で符号化する。無線部１０５は、電話部１０４で符号化された音声信号を変調してアンテナ１０６から送信するとともに、アンテナ１０６で受信した信号を復調する。通話用スピーカ１０８は、無線部１０５を介して電話部１０４で復調された音声信号を音声に変換して外部に出力する。
【００１０】
充電部１０９は充電制御部１０９ａおよび充電検出部１０９ｂからなる。充電制御部１０９ａは携帯電話機本体１００の端子部１２０ｅおよび１２０ｆ、またはコネクタ１２１を介してＡＣアダプタ３００から供給される電力を用いて二次電池１１０に充電する。充電検出部１０９ｂは、二次電池１１０への充電電圧を検出して、その情報を主制御部１０３に与える。主制御部１０３は充電検出部１０９ｂからの情報に基づいて充電制御部１０９ａを制御することにより二次電池１１０の充電要否を制御する。電源供給部１１１は、携帯電話機本体１００内の各部に適切な電力を供給する。
【００１１】
記録媒体１１２は、携帯電話機本体１００に内蔵または外付けであり、音声データを格納する。録音再生部１１３は、記録媒体１１２に格納された音声データを読み出して復号化された音声信号Ｒと音声信号Ｌを生成する機能と、主制御部１０３からの指令により音声データを記録媒体１１２に格納する機能を有する。スピーカ／ヘッドホン切換えアンプ１１４は、録音再生部１１３によって音楽データが読み出されて復号化された音声信号を増幅する。また、スピーカ／ヘッドホン切換えアンプ１１４には、ステレオヘッドホンがイヤホンジャック１１６に接続されているか否かを認識する回路が備わっており、携帯電話機本体１００に内蔵している音楽用スピーカ１１７への出力、またはステレオヘッドホンへの出力の切換えも行う。さらに、アンプ動作をＯＮ／ＯＦＦする機能も備わっている。
【００１２】
ステレオ用アンプ１１５は、録音再生部１１３によって音楽データが読み出されて復号化された音声信号を増幅し、卓上ホルダ２００に内蔵している音楽用スピーカ２０１ａおよび２０１ｂへ出力する。さらに、ステレオ用アンプ１１５には、アンプ動作をＯＮ／ＯＦＦする機能も備わっている。イヤホンジャック１１６は、増幅された音声信号Ｒと音声信号Ｌを、接続されたステレオヘッドホンに受け渡す部分である。装着検出部１１８は、携帯電話機本体１００が卓上ホルダ２００に装着されたか否かを検出する。音楽用スピーカ１１７は、増幅された音声信号を音声に変換して外部に出力する。インバータ１１９は、入力された信号レベルを反転する。
【００１３】
端子部１２０ａ〜１２０ｆは携帯電話機本体１００を卓上ホルダ２００に電気的に接続する端子である。これらは、卓上ホルダ２００に携帯電話機本体１００を装着した場合、ステレオ用アンプ１１５からの音声信号Ｌと音声信号Ｒを、卓上ホルダ２００に内蔵している音楽用スピーカ２０１に接続する端子１２０ａ、１２０ｂ、１２０ｃと、卓上ホルダ２００に携帯電話機本体１００が装着されたことを認識する端子１２０ｄと、ＡＣアダプタ３００から供給される電力を携帯電話機本体１００の二次電池１１０に充電するための端子１２０ｅ、１２０ｆから成る。コネクタ１２１は、携帯電話機本体１００にＡＣアダプタ３００を直接接続することができ、二次電池１１０を充電する際に必要な電力をＡＣアダプタ３００から入力する。
【００１４】
次に、卓上ホルダ２００について説明する。卓上ホルダ２００は、音楽用スピーカＬ２０１ａ、音楽用スピーカＲ２０１ｂ、端子部２０２ａ〜２０２ｆ、コネクタ２０３から成る。音楽用スピーカＬ２０１ａおよび音楽用スピーカＲ２０１ｂは、携帯電話機本体１００のステレオ用アンプ１１５で増幅された音声信号Ｌと音声信号Ｒを入力して外部に音声出力する。端子２０２ａ〜２０２ｆは、携帯電話機本体１００で増幅された音声信号Ｌと音声信号Ｒを卓上ホルダ２００に内蔵している音楽用スピーカ２０１ａおよび２０１ｂに接続する端子２０２ａ、２０２ｂ、２０２ｃと、卓上ホルダ２００に携帯電話機本体１００が装着されたことを認識する端子２０２ｄと、ＡＣアダプタ３００から供給される電力を携帯電話機本体１００の二次電池１１０に充電するための端子２０２ｅ、２０２ｆから成る。コネクタ２０３は、ＡＣアダプタ３００を接続する部分であり、卓上ホルダ２００を介して携帯電話機本体１００の二次電池１１０を充電するためのコネクタである。
【００１５】
ＡＣアダプタ３００は、商用電力を携帯電話機本体１００に適した直流の電源電圧に変換して、携帯電話機本体１００に電力を供給する。ＡＣアダプタ３００に接続されたコネクタ３０１は、卓上ホルダ２００に実装してあるコネクタ２０３または携帯電話機本体１００に実装してあるコネクタ１２１と接続される。
【００１６】
装着検出部１１８は、図２に示す通り、電源ＶＣＣとＧＮＤの間に直列に接続された抵抗１２２と抵抗１２３からなる。抵抗１２２と抵抗１２３の接続点１２４はスピーカ／ヘッドホン切換えアンプ１４とインバータ１１９の入力端子に接続される。インバータ１１９の出力端子は、ステレオ用アンプ１１５に接続される。抵抗１２２と抵抗１２３の接続点１２４は、抵抗１２２と抵抗１２３の分圧比で決まる電圧が印加される。説明の便宜上、電源ＶＣＣを５Ｖ、抵抗１２２を２０ＫΩ、抵抗１２３を３０ＫΩとすると抵抗１２２と抵抗１２３の接続点１２４には、３Ｖの電圧がかかることになる。
【００１７】
携帯電話機本体１００が卓上ホルダ２００に装着されないときは、端子１２０ｄはオープンになるため、抵抗１２２と抵抗１２３の接続点１２４には３Ｖの電圧がかかり、スピーカ／ヘッドホン切換え用アンプ１１４には、「Ｈ」レベルが入力され、動作をＯＮ状態にする。ステレオ用アンプ１１５は、インバータ１１９を介しているため論理値が反転し「Ｌ」レベルが入力され、動作をＯＦＦ状態にする。従って、このときは、スピーカ／ヘッドホン切換え用アンプ１１４のみ動作する。スピーカ／ヘッドホン切換え用アンプ１１４は、ステレオヘッドホンがイヤホンジャック１１６に接続されているか否かを認識する回路が備わっているため、ステレオヘッドホンの接続有無により、内蔵の音楽用スピーカ１１７から音声を出力するか、またはステレオヘッドホンへ出力するかの切換えを行い、音声を出力する。
【００１８】
携帯電話機本体１００が卓上ホルダ２００に装着されたときは、端子１２０ｄは端子２０２ｄと接触してＡＣアダプタ３００の−側端子（ＧＮＤ）と接続するため、抵抗１２２と抵抗１２３の接続点１２４は０Ｖの電圧となり、スピーカ／ヘッドホン切換え用アンプ１１４は、「Ｌ」レベルが入力され、動作をＯＦＦ状態、ステレオ用アンプ１１５は、インバータ１１９を介しているため、「Ｈ」レベルが入力され動作をＯＮ状態にする。従って、ステレオ用アンプ１１５のみ動作し、増幅された音声信号Ｌと音声信号Ｒと共通信号ＣＯＭは、端子１２０ａ、１２０ｂ、１２０ｃを介して卓上ホルダ２００の端子２０２ａ、２０２ｂ、２０２ｃを介して、卓上ホルダ２００に内蔵している音楽用スピーカ２０１ａおよび２０１ｂに接続され音声を出力する。
【００１９】
また、携帯電話機本体１００が卓上ホルダ２００に装着された状態で、かつＡＣアダプタ３００のコネクタ３０１が、卓上ホルダ２００に実装してあるコネクタ２０３に接続されていれば、携帯電話機本体１００はＡＣアダプタ３００から常に電力が供給されるため長時間ステレオ音楽が楽しめる。
【００２０】
携帯電話機本体１００が卓上ホルダ２００に装着された状態で、かつＡＣアダプタ３００のコネクタ３０１が、卓上ホルダ２００に実装してあるコネクタ２０３に接続されていないとき、携帯電話機本体１００の端子１２０ｄは卓上ホルダ２００の端子２０２ｄと２０２ｅを介して再び携帯電話機本体１００の端子１２０ｅと接続される。端子１２０ｅは携帯電話機本体１００の内部ＧＮＤと同電位であるため、接続点１２４は０Ｖの電圧となり、ステレオ用アンプ１１５のみ動作し、卓上ホルダ２００に内蔵している音楽用スピーカ２０１で音声が出力される。このときは、携帯電話機本体１００に実装している二次電池１１０の電力を用いて音声を出力することになる。
【００２１】
なお、携帯電話機本体１００にＡＣアダプタ３００を直接接続して二次電池１１０を充電することについては、すでに周知の事実であり、現在は二次電池１１０の充電に必要な定電流回路や定電圧回路は、ＡＣアダプタ３００、または携帯電話機本体１００、またはＡＣアダプタ３００と携帯電話機本体１００に分割して実装されており、卓上ホルダ２００には充電する回路は実装されていないことが一般的である。よって、ＡＣアダプタ３００のコネクタ３０１は、携帯電話機本体１００のコネクタ１２１に直接接続でき、二次電池１１０を充電することが可能である。このとき、端子１２０ｅはオープンになるため、携帯電話機本体１００が卓上ホルダ２００に装着されないときと同じ動作になる。
【００２２】
実施の形態２．
なお、上記発明の実施の形態１では、装着検出部１１８に電源ＶＣＣとＧＮＤとその間に抵抗１２２と抵抗１２３を直列に接続した構成であり、接続点１２４は抵抗１２２と抵抗１２３の分圧比で決まる電圧の「Ｈ」レベルか、または携帯電話機本体１００が卓上ホルダ２００に装着されたとき接続点１２４がＧＮＤになる「Ｌ」レベルかで決まる電気的な装着検出部を設けたものを示したが、図３に示すように、装着検出部１１８に装着により開閉するスイッチ１２５を設けて機械的な装着検出にしてもよい。
【００２３】
図３において、接続点１２４は、抵抗１２２を介して電源ＶＣＣにプルアップする。携帯電話機本体１００が卓上ホルダ２００に装着されないとき、スイッチ１２５が「開」になり、接続点１２４は抵抗１２２を介して電源ＶＣＣにプルアップされているので「Ｈ」レベルとなる。携帯電話機本体１００が卓上ホルダ２００に装着されたときは、スイッチ１２５が「閉」になり接続点１２４はＧＮＤに接続され「Ｌ」レベルとなる。このように、スイッチ１２５を使用して接続点１２４の「Ｈ」／「Ｌ」を切替えることで、スピーカ／ヘッドホン切換え用アンプ１１４か、またはステレオ用アンプ１１５のいずれかをＯＮ状態にする。装着検出部１１８には、スイッチ１２５のチャタリング防止のために、シュミット回路を実装した能動素子やコンデンサなどの受動素子を回路に加えてもよい。なお、スイッチ１２５を押すための工夫、例えば突起物等を卓上ホルダ２００に設ける等を行う必要がある。
【産業上の利用可能性】
【００２４】
この発明は、携帯電話機や携帯情報端末等の端末機器に利用できる。
【図面の簡単な説明】
【００２５】
【図１】この発明の実施形態１に係る携帯電話システムの携帯電話機と卓上ホルダとＡＣアダプタを示すブロック図である。
【図２】この発明の実施形態１の携帯電話システムに実装している装着検出部の回路図である。
【図３】この発明の実施形態２に係る携帯電話システムに実装している装着検出部の回路図である。
【符号の説明】
【００２６】
１００  携帯電話機本体、    １０１  表示部、
１０２  操作部、            １０３  主制御部、
１０４  電話部、            １０５  無線部、
１０６  アンテナ、          １０７  通話用マイク、
１０８  通話用スピーカ、    １０９  充電部、
１０９ａ  充電制御部、      １０９ｂ  充電検出部、
１１０  二次電池、          １１１  電源供給部、
１１２  記録媒体、          １１３    録音再生部、
１１４  スピーカ／ステレオヘッドホン切換えアンプ、
１１５  ステレオ用アンプ、  １１６  イヤホンジャック、
１１７  音楽用スピーカ、    １１８  装着検出部、
１１９  インバータ、
１２０ａ〜１２０ｆ  端子、
１２１  コネクタ、
１２２  抵抗、              １２３  抵抗、
１２４  接続点、            １２５  スイッチ、
２００  卓上ホルダ、      ２０１ａ  音楽用スピーカＬ、
２０１ｂ  音楽用スピーカＲ、
２０２ａ〜２０２ｆ  端子、
２０３  コネクタ、          ３００  ＡＣアダプタ、
３０１  コネクタ。
【図１】
2005191651.tif 000003
【図２】
2005191651.tif 000004
【図３】
2005191651.tif 000005